(57)【特許請求の範囲】
【請求項１】
人体の股間部分に装着される股間装着具において、
人体への装着時に股間に下方から密着して装着される股間装着物と、
前記股間装着物を人体に対して牽引装着するための牽引紐であって、両端が前記股間装着物の前側の二箇所に接続された第一牽引紐と、両端が前記股間装着物の後側の二箇所に接続された第二牽引紐と、を有する牽引紐と、
を備え、
人体への装着時に、前記第一牽引紐は、人体の腰部分の後側回りで前記股間装着物の前側を上方に牽引すると共に、前記第二牽引紐は、前記第一牽引紐とは逆に、人体の腰部分の前側回りで前記股間装着物の後側を上方に牽引することを特徴とする股間装着具。
【請求項２】
人体の股間部分に装着される骨盤底筋サポーターにおいて、
人体への装着時に股間に下方から密着して骨盤底筋を支持する支持部材と、
前記支持部材を人体に対して牽引装着するための牽引紐であって、前記支持部材の前側の二箇所に接続された後回り牽引紐と、前記支持部材の後側の二箇所に接続された前回り牽引紐と、を有する牽引紐と、
を備え、
人体への装着時に、前記後回り牽引紐は、前記支持部材の前側の二箇所を人体の後側回りで連結して牽引し、前記前回り牽引紐は、前記支持部材の後側の二箇所を人体の前側回りで連結して牽引し、前記支持部材が骨盤底筋を持ち上げるように支持することを特徴とする骨盤底筋サポーター。
【請求項３】
前記支持部材は、前側の第一支持片と、後側の第二支持片と、前記第一支持片と前記第二支持片とを所定の間隔を空けて連結する連結紐とを備え、人体への装着時に複数の場所を同時に持ち上げるように支持することを特徴とする請求項２記載の骨盤底筋サポーター。
【請求項４】
前記支持部材は、前記連結紐を調整することで前記第一支持片と前記第二支持片との間隔を調整可能に構成されていることを特徴とする請求項３記載の骨盤底筋サポーター。
【請求項５】
人体の右側及び左側において、それぞれ前記後回り牽引紐と前記前回り牽引紐とを一纏めに締結する、前記後回り牽引紐及び前記前回り牽引紐に対してスライド可能な一対の紐接続部材をさらに備えることを特徴とする請求項２乃至４何れか１項記載の骨盤底筋サポーター。
【発明の詳細な説明】
【技術分野】
【０００１】
本発明は、人体の股間の部分に位置する骨盤底筋を支持する骨盤底筋サポーター等、人体の股間部分に装着される股間装着具に関する。
【背景技術】
【０００２】
近年、加齢や出産等が原因となって機能が低下する骨盤底筋（骨盤底筋群）を鍛えることで、尿漏れ・尿失禁、前立腺肥大等の症状を緩和できることが知られており、骨盤底筋を鍛えるための骨盤底筋体操が次第に普及している。
【０００３】
また、骨盤底筋を鍛えるために用いる器具等も提供されており、例えば、下記特許文献１乃至３に開示されている。
【先行技術文献】
【特許文献】
【０００４】
【特許文献１】特開２０１２−１１０４５９号公報
【特許文献２】特開２０１２−７７４０８号公報
【特許文献３】特開２００８−２９７号公報
【発明の概要】
【発明が解決しようとする課題】
【０００５】
しかし、骨盤底筋体操を継続して行うのは、体力の低下した高齢者にとっては負担が大きく、また、器具を使って骨盤底筋を鍛える運動も高齢者にとっては負担が大きい。
【０００６】
また、上記特許文献２には、穿くことで装着者の骨盤底筋をトレーニングすることができるガードルが開示されているが、伸長性帯状構造を備えたガードルは、きついために穿いたり脱いだりする作業が大変であり、高齢者が一人で着脱するのは困難である。よって、高齢者であっても簡単に着脱することの可能な骨盤底筋サポーターが望まれている。
【０００７】
本発明は、このような課題に鑑みてなされたものであり、簡単に着脱することの可能な骨盤底筋サポーター等の股間装着具を提供することを目的とする。
【課題を解決するための手段】
【０００８】
上記課題を解決するために、本発明に係る股間装着具は、人体の股間部分に装着される股間装着具において、人体への装着時に股間に下方から密着して装着される股間装着物と、前記股間装着物を人体に対して牽引装着するための牽引紐であって、両端が前記股間装着物の前側の二箇所に接続された第一牽引紐と、両端が前記股間装着物の後側の二箇所に接続された第二牽引紐と、を有する牽引紐と、を備え、人体への装着時に、前記第一牽引紐は、人体の腰部分の後側回りで前記股間装着物の前側を上方に牽引すると共に、前記第二牽引紐は、前記第一牽引紐とは逆に、人体の腰部分の前側回りで前記股間装着物の後側を上方に牽引することを特徴とする。
【０００９】
また、本発明に係る骨盤底筋サポーターは、人体の股間部分に装着される骨盤底筋サポーターにおいて、人体への装着時に股間に下方から密着して骨盤底筋を支持する支持部材と、前記支持部材を人体に対して牽引装着するための牽引紐であって、前記支持部材の前側の二箇所に接続された後回り牽引紐と、前記支持部材の後側の二箇所に接続された前回り牽引紐と、を有する牽引紐と、を備え、人体への装着時に、前記後回り牽引紐は、前記支持部材の前側の二箇所を人体の後側回りで連結して牽引し、前記前回り牽引紐は、前記支持部材の後側の二箇所を人体の前側回りで連結して牽引し、前記支持部材が骨盤底筋を持ち上げるように支持することを特徴とする。
【発明の効果】
【００１０】
本発明に係る股間装着具によれば、高齢者であっても簡単に着脱が可能であり、所望の股間装着物を容易に装着することができる。
【図面の簡単な説明】
【００１１】
【図１】図１は、本発明の実施形態に係る骨盤底筋サポーターの斜視図である。
【図２】図２は、本発明の実施形態に係る骨盤底筋サポーターの牽引紐を広げた状態の斜視図である。
【図３】図３は、本発明の実施形態に係る骨盤底筋サポーターの穿く際の望ましい状態を示す平面図である。
【図４】図４は、本発明の実施形態に係る骨盤底筋サポーターを人体に装着した状態を示す斜視図である。
【図５】図５は、本発明の実施形態の変形例１に係る骨盤底筋サポーターの斜視図である。
【図６】図６は、本発明の実施形態の変形例２に係る骨盤底筋サポーターの牽引紐を広げた状態を示す斜視図である。
【図７】図７は、本発明の実施形態の変形例２に係る骨盤底筋サポーターを人体に装着した状態を示す斜視図である。
【図８】図８は、本発明の実施形態の変形例３に係る骨盤底筋サポーターの牽引紐を広げた状態を示す斜視図である。
【図９】図９は、本発明の実施形態の変形例３に係る骨盤底筋サポーターを人体に装着した状態を示す斜視図である。
【図１０】図１０は、本発明の実施形態の変形例４に係る生理用ナプキンの斜視図である。
【図１１】図１１は、本発明の実施形態の変形例４に係る生理用ナプキンを人体に装着した状態を示す斜視図である。
【図１２】図１２は、本発明の実施形態の変形例４に係る生理用ナプキンを人体に装着した状態を示す斜視図である。
【発明を実施するための形態】
【００１２】
以下、図面を参照しながら本発明の実施の形態について詳細に説明する。図１は、本発明の実施形態に係る骨盤底筋サポーターの斜視図である。図２は、本発明の実施形態に係る骨盤底筋サポーターの牽引紐を広げた状態の斜視図である。股間装着具である骨盤底筋サポーター１は、人体への装着時に骨盤底筋を押し上げるように股間に下方から密着する支持部材１０と、支持部材１０を人体に装着するための牽引紐３０とを備えている。
【００１３】
股間装着物である支持部材１０は、厚みのある長方形状の布部材であり、本実施形態では、長方形状のネル生地を八重程度に折って構成している。長方形状の支持部材１０の四つの角部である四隅には、牽引紐３０を接続するための挿通穴１１〜１４がそれぞれ形成されている。牽引紐３０がこれらの挿通穴１１〜１４に接続されることで、支持部材１０が牽引されて、人体へと装着される。
【００１４】
支持部材１０の人体への装着時に右前に位置する右前角部には、右前挿通穴１１が形成され、同じく右後角部には、右後挿通穴１２が形成されている。また、支持部材１０の人体への装着時に左前に位置する左前角部には、左前挿通穴１３が形成され、同じく左後角部には、左後挿通穴１４が形成されている。
【００１５】
牽引紐３０は、第一牽引紐である後回り牽引紐３３、第二牽引紐である前回り牽引紐３４の2本の紐を備えている。各牽引紐３３，３４は、ストッキング素材の布を丸めて作った伸縮性の高いストッキング製紐である。
【００１６】
後回り牽引紐（第一牽引紐）３３は、一端が右前挿通穴１１、他端が左前挿通穴１３に結び付けられて接続固定されている。前回り牽引紐（第二牽引紐）３４は、一端が右後挿通穴１２、他端が左後挿通穴１４に結び付けられて接続固定されている。このように、両端が支持部材１０に固定接続された各牽引紐３３，３４は、図１等に示すように、輪を構成している。
【００１７】
そして、骨盤底筋サポーター１の装着時、後回り牽引紐３３は、装着者の腰部分の後側回りに延在する後回りの牽引紐として機能し、前回り牽引紐３４は、装着者の腰部分の前側回りに延在する前回りの牽引紐として機能する。
【００１８】
以上、骨盤底筋サポーター１の構成について説明したが、続いて、骨盤底筋サポーター１の装着手順について説明する。図３は、本実施形態に係る骨盤底筋サポーターを穿く際の望ましい状態を示す平面図である。図４は、本実施形態に係る骨盤底筋サポーターを人体に装着した状態を示す斜視図である。
【００１９】
骨盤底筋サポーター１を装着する際には、装着者は、まず、骨盤底筋サポーター１が図３に示す状態となるように、後回り牽引紐３３を、後側（図３において下側）に折り曲げると共に、同様に、前回り牽引紐３４を、前側（図３において上側）に折り曲げる。このとき、支持部材１０の左右両側に、装着時に左右の足を通す領域である、支持部材１０と後回り牽引紐３３と前回り牽引紐３４とにより囲まれた領域が形成されるように整える。
【００２０】
このような状態の骨盤底筋サポーター１に対して、装着者が右足を右側の囲まれた領域に通し、左足を左側の囲まれた領域に通してから、支持部材１０が股間に密着するように骨盤底筋サポーター１全体を上方へと引き上げ、適宜、支持部材１０や牽引紐３０の位置を調整すれば、図４に示す装着状態となり、装着が完了する。なお、支持部材１０の位置調整にあたっては、支持部材１０が所望の骨盤底筋、例えば、尿道を締める骨盤底筋群の部分を押し上げるような場所に位置するように調整を行う。
【００２１】
骨盤底筋サポーター１を装着した状態では、後回り牽引紐３３は、支持部材１０の右前角部（右前挿通穴１１）と左前角部（左前挿通穴１３）とを、装着者の腰部分の後側回りで連結して牽引し、前回り牽引紐３４は、支持部材１０の右後角部（右後挿通穴１２）と左後角部（左後挿通穴１４）とを、装着者の腰部分の前側回りで連結して牽引する。
【００２２】
このように、本実施形態では、2本の牽引紐３３，３４からなる牽引紐３０により、支持部材１０の前側部分の二箇所を人体の後側回りで連結牽引して引き寄せ、さらには、支持部材１０の後側部分の二箇所を人体の前側回りで連結牽引により引き寄せているので、支持部材１０を人体の股間部分に安定して装着することができる。これにより、支持部材１０を人体の股間の骨盤底筋の部分に密着させて、確実にしっかりと持ち上げることができる。
【００２３】
もちろん、骨盤底筋サポーター１の装着の手順は適宜変更可能であり、上述したように、牽引紐３３，３４の輪を複数重ねて同時に足に通すのではなく、各牽引紐３３，３４の輪に別々に足を通して装着するようにしても良い。
【００２４】
以上、詳細に説明した骨盤底筋サポーター１によれば、支持部材１０により骨盤底筋を上方に持ち上げて支えることができる。膀胱や尿道を支えている骨盤底筋が出産、肥満、加齢等の要因によって緩んでしまうと、重力によって膀胱や尿道が下がってしまって、尿漏れ等が生じてしまうが、このように、骨盤底筋サポーター１によって骨盤底筋を上方に持ち上げて支えることで、骨盤底筋の機能を回復させることができ、骨盤底筋の機能の低下による尿漏れ等の発生を防止することができる。
【００２５】
また、本実施形態によれば、長方形状の支持部材１０により局所的に所望の骨盤底筋の場所だけを押し上げることができるため、骨盤底筋サポーター１を脱ぐこと無く着用したまま排尿を行うことが可能であり、排尿時にも骨盤底筋の機能を良好に発揮させることができる。
【００２６】
また、本実施形態においては、後回り牽引紐（第一牽引紐）３３及び前回り牽引紐（第二牽引紐）３４の腰回りの部分を所望の高さに容易に引き上げることができるので、腰回りの腰骨部分（くびれ部分）に両者を位置させることで、後回り牽引紐（第一牽引紐）３３及び前回り牽引紐（第二牽引紐）３４がずり落ちるのを防止し、しっかりと安定して骨盤底筋サポーター１を装着することができる。
【００２７】
（変形例１）
続いて、上記実施形態の変形例１について説明する。図５は、本実施形態の変形例１に係る骨盤底筋サポーターの斜視図である。変形例１に係る骨盤底筋サポーター２は、上述した骨盤底筋サポーター１の構成において、支持部材１０に代わりに、二つに分割された支持片６０Ａ，６０Ｂから構成した支持部材６０を採用したことを特徴としている。よって、本変形例１については、上記実施形態と異なる構成についてのみ説明し、上記骨盤底筋サポーター１と同じ構成については同じ番号を付して説明を省略する。
【００２８】
支持部材６０は、装着時に人体の前側に位置する第一支持片６０Ａと、後側に位置する第二支持片６０Ｂと、第一支持片６０Ａと第二支持片６０Ｂとを装着時に所定の間隔となるように連結する二本の連結紐６７とを備えている。第一支持片６０Ａ及び第二支持片６０Ｂは、支持部材１０と同じように、それぞれネル生地を八重程度に折り畳んで構成されている。
【００２９】
連結紐６７は、牽引紐３０と同様に、ストッキング素材の布を丸めて作った伸縮性の高いストッキング製紐である。第一支持片６０Ａの装着時の後側周縁部の右側部分と左側部分には、それぞれ連結穴６５が形成され、第二支持片６０Ｂの装着時の前側周縁部の右側部分と左側部分には、それぞれ連結穴６５が形成されている。
【００３０】
第一の連結紐６７は、第一支持片６０Ａの右側部分の連結穴６５と第二支持片６０Ｂの右側部分の連結穴６５とに通された状態で、両端が結び付けられて固定されており、リング紐として、第一支持片６０Ａと第二支持片６０Ｂの右側部分を所定の間隔より広がらないように連結している。
【００３１】
第二の連結紐６７は、第一支持片６０Ａの左側部分の連結穴６５と第二支持片６０Ｂの左側部分の連結穴６５とに通された状態で、両端が結び付けられて固定されており、リング紐として、第一支持片６０Ａと第二支持片６０Ｂの左側部分を所定の間隔より広がらないように連結している。
【００３２】
また、上記実施形態の挿通穴１１〜１４と同じように、第一支持片６０Ａの人体への装着時に右前に位置する右前角部には、右前挿通穴６１が形成され、同じく左前角部には、左前挿通穴６３が形成されている。また、第二支持片６０Ｂの人体への装着時に右後に位置する右後角部には、右後挿通穴６２が形成され、同じく左後挿通穴６４が形成されている。よって、上記実施形態と同様に、牽引紐３０を挿通穴６１〜６４に適宜接続固定することで、支持部材６０を所望の形態で人体に対して装着することができる。
【００３３】
以上、本変形例１によれば、上記実施形態に係る作用効果に加えて、第一支持片６０Ａ及び第二支持片６０Ｂは、それぞれ股間の所定の場所に別々に装着することができるため、二本の連結紐６７の長さや牽引紐３０の長さ等を調整したりすることで、複数の所望の骨盤底筋を同時に持ち上げることもできる。
【００３４】
（変形例２）
続いて、上記実施形態の変形例２について説明する。図６は、本実施形態の変形例２に係る骨盤底筋サポーターの牽引紐を広げた状態を示す斜視図である。図７は、本実施形態の変形例２に係る骨盤底筋サポーターを人体に装着した状態を示す斜視図である。
【００３５】
変形例２に係る骨盤底筋サポーター３は、上述した骨盤底筋サポーター１の構成において、さらに、後回り牽引紐（第一牽引紐）３３と前回り牽引紐（第二牽引紐）３４とを、装着時の人体の右側部分において一体に接続して連結する紐接続部材５６と、同じく人体の左側部分において一体に接続して連結する紐接続部材５６とを備えることを特徴としている。
【００３６】
よって、本変形例２では、上記実施形態と異なる構成についてのみ説明し、上記骨盤底筋サポーター１と同じ構成については同じ番号を付して説明を省略する。一対の紐接続部材５６は、それぞれ一本のストッキング製紐から構成されており、接続する所定の牽引紐３３，３４をひと結びにより一纏めに締結している。
【００３７】
本変形例２において、右側の紐接続部材５６は、支持部材１０の右側において後回り牽引紐３３と前回り牽引紐３４とが交差する位置に設置されて両者を締結している。同じく左側の紐接続部材５６は、支持部材１０左側において後回り牽引紐３３と前回り牽引紐３４とが交差する位置に設置されて両者を締結している。
【００３８】
本変形例２によれば、後回り牽引紐３３と前回り牽引紐３４とが左右の所定の位置が紐接続部材５６により接続固定されているため、骨盤底筋サポーター３を装着していない状態であっても、図６に示すように、後回り牽引紐３３と前回り牽引紐３４とにより囲まれた左右の足を通す領域が常に形成された状態となる。よって、骨盤底筋サポーター３を装着する際に、装着者が簡単に両足を所定の領域に通して装着することができる。
【００３９】
また、紐接続部材５６は、締結している牽引紐３３，３４に対してスライド可能であり、締結位置を変えることで、後回り牽引紐３３や前回り牽引紐３４の牽引力を調整することができ、所望の位置の骨盤底筋を良好に押し上げることができる。
【００４０】
（変形例３）
続いて、上記実施形態の変形例３について説明する。図８は、本実施形態の変形例３に係る骨盤底筋サポーターの牽引紐を広げた状態を示す斜視図である。図９は、本実施形態の変形例３に係る骨盤底筋サポーターを人体に装着した状態を示す斜視図である。
【００４１】
変形例３に係る骨盤底筋サポーター４は、上記変形例２に係る骨盤底筋サポーター３の構成において、人体の左右両サイドにおいて、さらに二箇所目の位置で後回り牽引紐（第一牽引紐）３３と前回り牽引紐（第二牽引紐）３４とを一体に接続して連結する紐接続部材５７を備えることを特徴としている。よって、本変形例３では、上記変形例２と異なる構成についてのみ説明し、上記骨盤底筋サポーター３と同じ構成については、同じ番号を付して説明を省略する。各紐接続部材５７は、紐接続部材５６と同様に、一本のストッキング製紐から構成されており、接続する牽引紐３３，３４をひと結びにより一纏めに締結している。
【００４２】
このように、人体の両サイドにおいて、後回り牽引紐３３と前回り牽引紐３４とが二箇所で連結された骨盤底筋サポーター４を人体に装着すると、図９に示すように、後回り牽引紐３３と前回り牽引紐３４との二つの連結場所の間（紐接続部材５６と紐接続部材５７との間）は、後回り牽引紐３３と前回り牽引紐３４とが一体に束ねられた状態となって、上下方向に延在する。
【００４３】
よって、後回り牽引紐３３及び前回り牽引紐３４は、腰回りで周回する部分３０Ａと、太腿回りで支持部材１０を牽引する部分３０Ｂとが、両サイドにおいて上下に延在する部分３０Ｃで連結された構造となる。ここで、支持部材１０をきちんと広がった状態で股間に密着させるには、太腿回りに位置する牽引紐３０によりなるべく水平に近い方向に牽引するのが望ましく、牽引紐３０がずり落ちないようするためには、牽引紐３０を腰のくびれ部分で延在させることが望ましい。
【００４４】
これに対して、本変形例３によれば、後回り牽引紐３３及び前回り牽引紐３４が、腰回りで周回する部分３０Ａと、太腿回りで支持部材１０を牽引する部分３０Ｂとして機能するので、装着後に牽引紐３３，３４がずり落ちることなく、且つ、支持部材１０を広がった状態で良好に装着することができる。
【００４５】
また、紐接続部材５６と同様に、紐接続部材５７も締結している牽引紐３３，３４に対してスライド可能であり、紐接続部材５６による締結位置と共に紐接続部材５７による締結位置を変えることで、後回り牽引紐３３や前回り牽引紐３４の牽引力を調整することができると共に、ウエスト位置の腰回りで延在する部分３０Ａの長さ調整（サイズ調整）を行うこともできる。
【００４６】
（変形例４）
続いて、上記実施形態の変形例４について説明する。図１０は、本実施形態の変形例４に係る生理用ナプキンの斜視図である。図１１及び図１２は、本実施形態の変形例４に係る生理用ナプキンを人体に装着した状態を示す図であり、図１１は第一の装着方法により装着した図、図１２は第二の装着方法により装着した図である。
【００４７】
上記実施形態では、人体の股間部分に装着される股間装着具として、人体への装着時に股間に下方から密着して装着される股間装着物としての骨盤底筋等の骨盤底部の支持部材１０，６０を備える骨盤底筋サポーター１〜４について説明したが、本変形例４では、股間装着具として、股間装着物としての布ナプキン７０を備える生理用ナプキン５について説明する。
【００４８】
よって、本変形例４では、上記実施形態と異なる構成についてのみ説明し、同様の構成については説明を省略する。本変形例では、牽引紐３０を構成する2本の紐を第一牽引紐３３、第二牽引紐３４と称する。
【００４９】
布ナプキン７０は、帯状の布製部材であり、女性の股間部分に装着することで、経血等の体液を吸収することができる。第一牽引紐３３は、一端が右前挿通穴７１に、他端が左前挿通穴７３に固定されている。第二牽引紐３４は、一端が右後挿通穴７２に、他端が左後挿通穴７４に固定されている。
【００５０】
続いて、生理用ナプキン５の人体への装着について説明する。図１１は、変形例４に係る第一の装着方法により生理用ナプキン５を人体に装着した状態を示している。第一の装着方法では、上記実施形態と同様に、第一牽引紐３３は、装着者の腰部分の後側回りに延在する後回りの牽引紐として機能し、第二牽引紐３４は、装着者の腰部分の前側回りに延在する前回りの牽引紐として機能する。
【００５１】
図１２は、変形例４に係る第二の装着方法により生理用ナプキン５を人体に装着した状態を示している。第二の装着方法では、第一牽引紐３３と第二牽引紐３４とを前後に交差させて折り返すことで、第一牽引紐３３は、装着者の腰部分の前側回りに延在する前回りの牽引紐として機能し、第二牽引紐３４は、装着者の腰部分の後側回りに延在する後回りの牽引紐として機能する。
【００５２】
第二の装着方法により装着すれば、第一牽引紐３３と第二牽引紐３４とのクロスする位置を適宜スライドさせることで、後回り牽引紐３３や前回り牽引紐３４の牽引力を調整したり、牽引紐３０の腰回りの高さを調整したりすることができる。
【００５３】
以上、変形例も含めて本発明の実施形態について説明したが、本発明の実施の形態は、上記実施形態に限定されるものではなく、本発明の主旨を逸脱しない範囲内で種々の変形が可能である。例えば、股間装着具を構成する部材のサイズや形状は適宜変更可能である。
【００５４】
また、上記実施形態では、第一牽引紐及び第二牽引紐が腰の部分で後側や前側に回るように構成しているが、腰回りに限らず、首回りや肩回りで後側や前側に回るように構成しても良い。
【００５５】
また、股間装着物の形状や素材は、股間部分を良好に押し上げることができる形状や素材であれば、適宜変更することができる。素材としては、布生地に限らず、シリコン等の樹脂や皮等を用いることができるが、股間部分を確実に押し上げるためには、伸縮性の低い低伸縮性素材を用いるのが望ましい。また、支持部材に形成された挿通穴の位置や数も適宜変更可能である。
【００５６】
また、上記実施形態では、肌触りを重視し、牽引紐としてストッキング素材の布を丸めた紐を使用しているが、一般的な下着等で使用されている軟らかいゴム紐やこのゴム紐を縫い合わせたもの等、適宜他の素材の紐を用いることができる。
【００５７】
また、上記実施形態では、股間装着具として、骨盤底筋サポーターと生理用ナプキンを例に挙げて説明したが、尿とりパッド等、牽引紐により股間装着物を人体の股間部分に装着する他の股間装着具にも適宜本発明を適用することができる。
【符号の説明】
【００５８】
１，２，３，４              骨盤底筋サポーター
５                          生理用ナプキン
１０，６０                  支持部材
１１，６１                  右前挿通穴
１２，６２                  右後挿通穴
１３，６３                  左前挿通穴
１４，６４                  左後挿通穴
３０                        牽引紐
３３                        後回り牽引紐（第一牽引紐）
３４                        前回り牽引紐（第二牽引紐）
５６，５７                  紐接続部材
７０                        布ナプキン
７１                        右前挿通穴
７２                        右後挿通穴
７３                        左前挿通穴
７４                        左後挿通穴
【図１】
0006452237.tif 000002
【図２】
0006452237.tif 000003
【図３】
0006452237.tif 000004
【図４】
0006452237.tif 000005
【図５】
0006452237.tif 000006
【図６】
0006452237.tif 000007
【図７】
0006452237.tif 000008
【図８】
0006452237.tif 000009
【図９】
0006452237.tif 000010
【図１０】
0006452237.tif 000011
【図１１】
0006452237.tif 000012
【図１２】
0006452237.tif 000013